(57)【特許請求の範囲】
【請求項１】
レーザを用いて射撃訓練を行う射撃訓練装置において、
射撃用照準器が設けられた本体部と、レーザを照射するためのレーザ送信器と、前記レーザ送信器を弾もしくは弾薬に模擬して前記本体部に装着または装填する装着部または装填部と、押下しない状態で前記レーザ送信器からレーザを照射する照射用スイッチと、前記本体部に設けられ、撃芯を突出させる射撃用トリガと、前記撃芯の突出に応じて変位する撃芯検出部とを備え、前記撃芯検出部は、一端が前記撃芯に当接する一方、他端が前記照射用スイッチに接し、バネによって前記撃芯の突出方向とは反対方向に付勢され、前記撃芯が突出されない状態において前記バネの付勢力によって前記他端が前記照射用スイッチを押下し、前記撃芯が突出される状態において前記他端による前記照射用スイッチの押下が解除される位置に変位することを特徴とする射撃訓練装置。
【請求項２】
前記レーザ送信器の装着部は、レーザの光軸と射撃用照準器の光軸とが所定の関係になるように前記レーザ送信器を前記本体部に装着または装填させることを特徴とする請求項１に記載の射撃訓練装置。
【発明の詳細な説明】
【０００１】
【発明の属する技術分野】
本発明は、レーザを用いた射撃訓練装置に関し、特に、レーザ送信器を弾もしくは弾薬と模擬することにより、照準器との平行関係を調整する必要がなく、また弾等の装着、装填訓練を行うことができるようにした射撃訓練装置に関するものである。
【０００２】
【従来の技術】
図６乃至図８は従来の射撃訓練装置を示す図である。
従来の射撃訓練装置は、本体をなし、実際の火器もしくは模擬弾と呼ばれる火器等の外形を模擬しただけの訓練弾１と、訓練弾１の外部に取り付けられたレーザ送信器２と、訓練弾１の外部に発射機３と共に設けられた照準器４とを備えて構成されている。
【０００３】
レーザ送信器２は訓練弾１の外部に金具５等を用いて装着され、また、発射機３には火器トリガ６が設けられ、このトリガ検出のために、図７に示すように、火器トリガ６付近に別に作動スイッチ５を設け、この作動スイッチ５の作動によりケーブル７を介してレーザ送信器２を駆動するようにしている。そしてトリガ検出に際しては、作動スイッチ５を火器トリガ４と同時に押下させる構成としている。なお、図８に示すように火器トリガ４と連動する金具８を設けてトリガされたことを検出するようにしたものも知られている。
【０００４】
【発明が解決しようとする課題】
しかしながら、かかる従来の技術においては、以下のような問題がある。
（１）実際の火器とほぼ同一の重量を有する本体である訓練弾に、レーザ送信器等の別装置を装着するため、重量が実際の火器等より重くなる。
（２）実際の火器とほぼ同一の重量を有する本体である訓練弾に、レーザ送信器等の別装置を装着するため、全体外形が実際の火器と異なるため、訓練中の移動・運搬に支障が生じやすく、また装着したレーザ送信器も損傷・脱落しやすい。
（３）実際の火器で大きな弾薬を使用するものは、射撃手と弾を運搬する助手２名で操作する場合が多いが、従来の技術における訓練では、弾を運搬することもなく、また弾を火器に装着・装填する動作もないことから、射撃手１名の訓練しか行えず、２名操作の連携訓練ができない。
（４）レーザ送信器を本体である訓練弾に装着するため、レーザ光線を目標物に照射するためには、火器照準器の光軸とレーザ送信器の光軸を平行に調整する調整作業が必要であり、この調整作業に時間を要する。また、調整したレーザ送信器の光軸が訓練中の移動や運搬時に受ける衝撃によってずれた場合、再度その光軸の調整を行わなければ、レーザが目標物に命中しなくなり、訓練を行うことができなくなる。
【０００５】
本発明は、かかる従来の問題点を解決するためになされたものであり、模擬弾の装着・装填訓練を行えて、また２名操作の連携訓練を行うこともでき、更に、レーザの光軸と火器照準器の光軸との調整が不要となって、実際の火器を用いた射撃訓練により近い射撃訓練を行うことができる射撃訓練装置を提供することを目的としている。
【０００６】
【課題を解決するための手段】
上述した課題を解決するため、本発明は、レーザを用いて射撃訓練を行う射撃訓練装置において、射撃用照準器が設けられた本体部と、レーザを照射するためのレーザ送信器と、前記レーザ送信器を弾もしくは弾薬に模擬して前記本体部に装着する装着部または装填部と、前記本体部に、前記レーザ送信器からレーザを照射する照射用スイッチとして、または照射用スイッチと連動するよう設けられた射撃用トリガとからなることを特徴とするものである。
【０００７】
このような構成によれば、レーザ送信器自体を模擬弾として扱うことができるため、模擬弾の装着・装填訓練を行うことができる。また、２名操作の連携訓練を行うこともできる。なお、実施の形態に示されるように、照射用スイッチをマイクロスイッチや圧力スイッチにより構成して射撃用トリガと連動させることにより、実際の火器のトリガ操作との違和感をなくすることができる。
【０００８】
また、本発明において、前記レーザ送信器の装着部は、レーザの光軸と射撃用照準軸が所定の関係になるよう前記レーザ送信器を前記本体部に装着させることを特徴とするものである。
【０００９】
このような構成によれば、実際の弾、弾薬と同じ機械的寸法・精度を有することによりレーザの光軸と火器照準器の光軸との調整が不要となって、実際の火器を用いた射撃訓練により近い射撃訓練を行うことができる。
【００１０】
【発明の実施の形態】
以下、本発明の実施の形態を図面を用いて説明する。なお、以下で説明する図２及び図４は、各々参考図１及び参考図２であり、本発明の実施の形態から除外される。
実施の形態１．
図１は本発明に係る射撃訓練装置の全体構成を示す側面図である。
図１に示す射撃訓練装置は、射撃用照準器１４が設けられた本体部１０と、レーザを照射するためのレーザ送信器１２と、レーザ送信器１２を弾および／または弾薬に模擬して前記本体部１０に装着する装着部１９と、本体部１０に、レーザ送信器１２からレーザを照射する照射用スイッチとして、または照射用スイッチと連動するよう設けられた射撃用トリガ１６とからなる。そして、レーザ送信器１２の前部にはレーザ発射部１２ａが設けられている。実施の形態１では、レーザ送信器１２は発射機として作用する本体部１０に直接装着部１９により装着される。
【００１１】
即ち、図１に示す実施の形態１では、火器（発射機）と結合する部分を実際の弾・弾薬と同様な形状・寸法及び精度とすることにより、レーザ送信器１２を火器に装着して使用する模擬を行うことができる。そしてこの場合、照準器による光軸とレーザ送信器１２の光軸は、レーザ送信器１２が弾・弾薬として装着されることによって、一定（平行）の関係をもたせることができ、従って、レーザ送信器を装着した後に従来のように、レーザ送信器の光軸と照準器の光軸とを調整する必要もなくなる。
【００１２】
図２は、参考例１としてトリガ検出機構の一例を示す。
実際の火器は、発射機のトリガ１６を押下（引く）することにより、内部機構により棒状の撃芯２１が発射機（本体部１０）から弾・弾薬側に突出する。その突出圧力により弾・弾薬の火薬が点火し、弾が発射される仕組みとなっている。図２に示す本発明の機構においては、火器の撃芯２１が突出すると、レーザ送信器の撃芯検出部２２を押し上げる。撃芯検出部２２の先端２２ａは棒状になっており、レーザ送信器内部に取付けられたマイクロスイッチもしくは圧力スイッチ２３を押下する。このことにより、レーザ発振回路が作動し、レーザが発射する。撃芯２１が元の位置に戻ると、撃芯検出部２２に取付られたバネ２４により撃芯検出部２２は元の位置に戻る。
【００１３】
実施の形態２。
また、一般的に撃芯２１は、その突出する際の力がかなり大きい場合があり、この場合は撃芯検出部２２が撃芯２１の突出する反動で、撃芯２１の突出量より大きく可動する場合がある。
そこで、実施の形態２として、図３に示すように撃芯検出部の先端２２ｂを板状にしてマイクロスイッチもしくは圧力スイッチ２３Ａに接する機構にし、マイクロスイッチもしくは圧力スイッチ２３Ａを押下している状態で電気回路がオフとなるようにする。そして、撃芯検出部２２が上方に可動し、マイクロスイッチもしくは圧力スイッチ２３Ａを押下しない状態になれば電気回路がオンとなるような回路を設ければ、撃芯検出部の可動量が変位しても問題がない。
【００１４】
参考例２．
実施の形態２に説明した機構は、更に図４に示すように、マイクロスイッチもしくは圧力スイッチ２３Ｂにローラ２３ａがついているものを使用し、撃芯検出部２２の先端２２ｃを段つき形状にしておけば、押下しオンする電気回路においても同様な機能を有することができる。
以上の実施の形態１及び２で示した機構を有することにより、レーザ送信器を実際の弾・弾薬と同様に装着することができ、火器のトリガを検出してレーザを発射することができる。また、火器との装着部分の機構精度を実際の弾・弾薬と同一とすることで、レーザ光軸と火器照準器の光軸を調整する必要がなくなり、準備時間の短縮が図れると共に、助手が弾を運搬し、移動後、装着・装填して射撃するという、実際の行動と同様な訓練を行うことができる。
【００１５】
実施の形態３．
実施の形態３では、レーザ送信器１２は、本体部１０に結合部（例えば図１に示す装着部１９Ａと同じ構成）によって結合された筒体２０内に装填されて装填状態とされる。即ちレーザ送信器１２は略円柱体形状を有し、その適所（前後及び中央の３箇所）が円環状支持部材１２ｂにより筒体２０内周に装填されて支持される。
【００１６】
実際の火器（筒体２０）に装填する模擬を行うためには、図５に示されるように、火器（筒体２０）内部と接する部分に実際の弾・弾薬と同様な外形寸法及び精度を持たせればよい。ただし、レーザ送信器１２Ａの外形全てを実際の火器内径寸法（筒体２０の内径）に合わせる必要がなく、図２に示すように３箇所程度を円環状支持部材１２ｂにより合わせればよい。これは全て外形寸法を合わせるとレーザ送信器１２Ａを火器（筒体２０）内に装填する際、実際の弾と異なり何度も装填するため、抵抗を減らすための手段として作用する。
なお、トリガ検出機構としては、実施の形態１〜３に説明したものを用いることができる。
【００１７】
実施の形態３によれば、結合部と筒体２０とによってレーザ送信器１２の装填部が構成されて、レーザ送信器１２Ａを実際の弾・弾薬と同様に装填することができ、トリガを検出してレーザを発射することができる。そしてこの場合において、筒体へのレーザ送信器の装填部分の機構精度を実際の弾・弾薬と同一とすることで、レーザ光軸と火器照準器の光軸を調整する必要がなくなり、準備時間の短縮が図れると共に、助手が弾を運搬し、移動後、装着・装填して射撃するという、実際の行動と同様な訓練を行うことができる。
【００１８】
【発明の効果】
上述したように、本発明によれば、レーザ送信器を実際の弾薬・弾の形状に模擬することで、実際の火器における弾薬や弾と同様に装着・装填ができ、模擬弾の装着・装填訓練を行えると共に、２名操作の連携訓練を行うこともできる。また、レーザの光軸と火器照準器の光軸との調整が不要となって、実際の火器を用いた射撃訓練により近い射撃訓練を行うことができる射撃訓練装置を提供することができるという効果を奏する。
【図面の簡単な説明】
【図１】実施の形態１における射撃訓練装置の全体構成を示す側面図である。
【図２】参考例１におけるトリガ検出機構を示す側面図である。
【図３】実施の形態２におけるトリガ検出機構を示す側面図である。
【図４】参考例２におけるトリガ検出機構を示す側面図である。
【図５】実施の形態３における射撃訓練装置の全体構成を示す側面図である。
【図６】従来の射撃訓練装置を示す側面図である。
【図７】従来の射撃訓練装置において、トリガ検出機構を示す側面図である。
【図８】従来の射撃訓練装置において、トリガ検出機構の他の例を示す側面図である。
【図１】
0004678922.tif 000002
【図２】
0004678922.tif 000003
【図３】
0004678922.tif 000004
【図４】
0004678922.tif 000005
【図５】
0004678922.tif 000006
【図６】
0004678922.tif 000007
【図７】
0004678922.tif 000008
【図８】
0004678922.tif 000009